(57)【要約】【課題】空気調和機のファンモータの振動に起因する振動音を抑制する。【解決手段】ファンモータを室内機内の通風路から仕切るファンモータ前面カバー５と、ファンモータに設置された防振部材を把持するファンモータ側面カバーと、を備える空気調和機であって、ファンモータ側面カバーは、手前側に取り付けられる手前カバー６と奥側に取り付けられる奥カバー７とに分割可能であり、手前カバー６及び奥カバー７は、それぞれ少なくとも一箇所ずつ前記室内機の背面ケーシングに固定され、手前カバー６とファンモータ前面カバー５とが接触する箇所の少なくとも一部に、ファンモータ側面カバーの振動を防止するための防振構造（６２ａ等）を備える。【選択図】図３
2012112543.tif 000002
【特許請求の範囲】
【請求項１】
ファンモータを室内機内の通風路から仕切るファンモータ前面カバーと、前記ファンモータに設置された防振部材を把持するファンモータ側面カバーと、を備える空気調和機であって、
前記ファンモータ側面カバーは、手前側に取り付けられる手前カバーと奥側に取り付けられる奥カバーとに分割可能であり、
前記手前カバー及び前記奥カバーは、それぞれ少なくとも一箇所ずつ前記室内機の背面ケーシングに固定され、
前記手前カバーと前記ファンモータ前面カバーとが接触する箇所の少なくとも一部に、前記ファンモータ側面カバーの振動を防止するための防振構造を備えること
を特徴とする空気調和機。
【請求項２】
前記手前カバーは前記ファンモータの回転軸を通る水平面より上側において前記背面ケーシングに固定され、前記奥カバーは前記水平面より下側において前記背面ケーシングに固定されること
を特徴とする請求項１に記載の空気調和機。
【請求項３】
前記手前カバーはさらに、前記ファンモータ前面カバー及び／又は前記奥カバーに固定されること
を特徴とする請求項１又請求項２に記載の空気調和機。
【発明の詳細な説明】
【技術分野】
【０００１】
本発明は、空気調和機のファンモータの振動に起因する振動音を抑制するための技術に関する。
【背景技術】
【０００２】
空気調和機の室内機には、通常、ファンモータを室内機内の通風路から仕切るとともに、ファンモータの振動音が外部に漏れることを防止するためのカバーが設置されている。
特許文献１には、ベースに、前面固定部と載置部と後面固定部とからなるファンモータの固定部を設けた空気調和機について記載されている。上記後面固定部は、挿入溝に挿入される挿入部を備え、長円孔と上部押さえ部とを設けた第一固定具と、接合部と下部押さえ部とからなる第二固定具とにより構成される。また、上記第一固定具と第二固定具とによってファンモータの防振部材を挟持する。
特許文献１に記載の技術においては、第一固定具の上部押さえ部が防振部材の上面側を固定し、第二固定具の下部押さえ部が防振部材の下面側を押圧する。これによって、ファンモータを固定することができる。
【先行技術文献】
【特許文献】
【０００３】
【特許文献１】特開２００３−２０７１５３号公報
【発明の概要】
【発明が解決しようとする課題】
【０００４】
特許文献１に記載の空気調和機では、第二固定具をベースではなく第一固定具に螺着するため、後面固定具は第一固定具のみによってベースに固定されていることになる。すなわち、第一固定具が振動した場合に、当該振動に連動して第二固定具も一緒に振動してしまうため、ファンモータの防振性が低いという問題があった。
また、特許文献１に記載の空気調和機では、第一固定具はベースのみに固定され、ファンモータの前面を覆う右側固定部に対しては固定されていない。したがって、ファンモータの軸方向の振動を防ぐことができないという問題があった。
当該振動は空気調和機の他部品に伝わり、当該他部品においても振動が発生することとなる。
【０００５】
また、特許文献１に記載の空気調和機では、第一固定具及び第二固定具によって構成される後面固定部と、ファンモータの前面を覆う右側固定部との間に隙間ができる構成となっている。したがって、当該隙間からファンモータの振動音が外部に漏れてしまうという問題があった。
結果的に、特許文献１に記載の空気調和機では、ファンモータの防振性が低く、ファンモータの振動音が外部に漏れてしまう構成であるため、空気調和機の振動音の発生を抑制することができないという問題があった。
【０００６】
そこで本発明は、空気調和機のファンモータの振動に起因する振動音を抑制することを課題とする。
【課題を解決するための手段】
【０００７】
前記課題を解決し、本発明の目的を達成するために、以下のように構成した。
すなわち、ファンモータに設置された防振部材を把持するファンモータ側面カバーは、手前側に取り付けられる手前カバーと奥側に取り付けられる奥カバーとに分割可能であり、前記手前カバー及び前記奥カバーは、それぞれ少なくとも一箇所ずつ室内機の背面ケーシングに固定され、前記手前カバーとファンモータ前面カバーとが接触する箇所の少なくとも一部に、前記ファンモータ側面カバーの振動を防止するための防振構造を備えるように構成した。
【発明の効果】
【０００８】
本発明により、空気調和機のファンモータの振動に起因する振動音を抑制することができる。
【図面の簡単な説明】
【０００９】
【図１】一般的な空気調和機の構成を示す図である。
【図２】本発明の第１実施形態に係る空気調和機の室内機の構成を示す分解斜視図である。
【図３】本発明の第１実施形態に係る空気調和機の室内機のファンモータ前面カバー及びファンモータ側面カバーの構成を示す分解斜視図である。
【図４】本発明の第１実施形態に係る空気調和機の室内機から、前面ケーシング及び電装品箱を取り外した場合の斜視図である。
【図５】本発明の第１実施形態に係る空気調和機の室内機において、背面ケーシングにファンモータ側面カバーの奥カバー及びファンモータ前面カバーが取り付けられた場合の部分拡大図である。
【図６】本発明の第１実施形態に係る空気調和機の室内機からファンモータを取り外し、ファンモータ側面カバーを取り付けた状態において、手前カバーのツメの突起部及びファンモータの回転軸を含む平面によって切り取った場合の部分斜視図である。
【図７】本発明の第１実施形態に係る空気調和機の手前カバーのツメをファンモータ前面カバーに設けられた収容部に嵌めこむ際の手順を示した図である。
【図８】本発明の第１実施形態に係る空気調和機の室内機におけるファンモータ前面カバー及びファンモータ側面カバーの右側面図である。
【発明を実施するための形態】
【００１０】
≪第１実施形態≫
本発明の実施形態について、適宜図面を参照しながら詳細に説明する。なお、各図において、共通する部分には同一の符号を付し、重複した説明を省略する。
【００１１】
＜空気調和機の構成＞
図１は、一般的な空気調和機の構成を示す図である。図１において、空気調和機Ａは室内機１と、室外機２とが冷媒配管（図示せず）によって接続されている。
空気調和機Ａの運転時には、室内機１と室外機２との間で冷媒配管（図示せず）を介して冷媒を循環させる。当該冷媒は室内機１の熱交換器８（図２参照）内の伝熱管（図示せず）を流れており、室内機１においてファン９（図２参照）によって取り入れた空気を、熱交換によって加熱又は冷却する。
【００１２】
リモコン（remote controller)３はユーザ（図示せず）によって操作され、室内機１の信号受信部（図示せず）に対し赤外線信号を送信する。当該信号は運転要求、設定温度の変更、タイマ、運転モードの変更、停止要求等の指令である。空気調和機Ａは、これらの信号に基づいて、冷房モード、暖房モード、除湿モード等の空調運転を行う。
ファン９（図２参照）が回転すると、室内空気が室内機１に設けられた空気吸込み口（図示せず）から吸い込まれ、熱交換器８、ファン９を通り、温湿度が調整された空気が空気吹出し口(図示せず)から吹出されて室内を空調する。なお、空気調和機Ａの運転時における動作の詳細については、その説明を省略する。
【００１３】
図２は、本発明の第１実施形態に係る空気調和機の室内機の構成を示す分解斜視図である。空気調和機Ａの室内機１は、熱交換器８、ファン９、ファンモータ４、ファンモータ前面カバー５、ファンモータ側面カバーＫ（手前カバー６、奥カバー７）、及び電装品箱１２が背面ケーシング１０に取り付けられている。また、背面ケーシング１０は据付板１１によって壁面に設置されている。
その他、室内機１には、フィルタ１４（図４参照）、ドレンパン（図示せず）、露受皿（図示せず）、赤外線センサ(図示せず)等が収納されるが、これらについては、その説明を省略する。
なお、背面ケーシング１０に上記の各機器を設置した後、室内機１の前方から前面ケーシング（図示せず）を背面ケーシング１０に嵌めることとなる。
【００１４】
熱交換器８は、複数本の伝熱管が貫通するフィンが所定の間隔をあけて多数枚積層され、室内機１を側面視して逆Ｖ字型に成形されている。上記伝熱管は、冷媒配管（図示せず）を介して室外機２と接続されており、冷房サイクル又は暖房サイクル等を構成する。
熱交換器８は、ファン９により室内機１内に引き込まれてフィルタ１４（図４参照）を通過した空気と熱交換し、空気を冷却又は加熱するように構成されている。
【００１５】
ファン９は、円筒形に成形されたクロスフローファン型のファンで、両端部及びファンの中心軸方向に複数箇所設けられる円筒形の仕切り板と、一方の仕切り板から他方の仕切り板に向けて延び且つ円周状に配置される多数の羽根とにより構成されている。
ファン９は、中心軸周りに回転して送風動作を行うように構成されている。
【００１６】
ケーシングは、前面ケーシング（図示せず）と背面ケーシング１０とにより構成され、前面ケーシングの前面及び上面に吸い込み口（図示せず）が形成され、前面ケーシングの下面に吹き出し口（図示せず）が形成されている。前面ケーシングの吸い込み口には、埃などの浮遊物が室内機１の内部に侵入するのを防ぐためのフィルタ１４（図４参照）が設置されている。
また、据付板１１は背面ケーシング１０を壁面に固定している。
【００１７】
電装品箱１２は、室内機１の背面ケーシング１０内の左右一方の端に設置され、内部に空気調和機Ａの各動作を制御するための制御回路（図示せず）を搭載している。図２において電装品箱１２は、室内機１の右端に設置されている。この電装品箱１２は、背面ケーシング１０にネジ止めされており、接続されている各リード線（図示せず）を取り外し、さらに固定されているネジ（図示せず）を取り外すことで、背面ケーシング１０から外すことができる。
なお、電装品箱１２を取り外した後にできる空間は、ファンモータ側面カバーＫ（手前カバー６及び奥カバー７）を取り外した後にファンモータ４を室内機１から取り出す際の搬出路となる。つまり、電装品箱１２は、ファンモータ側面カバーＫよりも室内機１の端側（図２では右端側）に位置している。
【００１８】
ファンモータ４は円筒形であって、両方の端面に円筒状に成形された軸受部（図示せず）を持つモータ本体４１と、モータ本体４１に同軸に形成された駆動軸４２とを備える。ファンモータ４は、その駆動軸４２がファン９のボス９１に挿入され、駆動軸４２の法線方向に取り付けるネジ（図示せず）によりファン９に固定される。
ファンモータ４において、ファンモータ側面カバーＫ（手前カバー６及び奥カバー７）が取り付けられる側の軸受部にはファンモータ４の振動を防止するための防振ゴム１３が取り付けられている。ファンモータ４の右端側の軸受部（図示せず）は外方に突出するように形成されており、防振ゴム１３は当該軸受部を覆うとともに、当該軸受部に密着するように設置されている。したがって、図２において右端側の軸受部は防振ゴム１３に隠されている。
【００１９】
ファンモータ前面カバー５は、ファンモータ４を固定するとともに、ファンモータ４と室内機１内の通風路（及びファン９）とを仕切る構成となっている。ファンモータ側面カバーＫは防振構造を備えるとともに、ファンモータ前面カバー５に当接してファンモータ４をほぼ密封する。
以下、ファンモータ前面カバー５及びファンモータ側面カバーＫについて詳述する。
【００２０】
＜ファンモータ前面カバー＞
図３は、本発明の第１実施形態に係る空気調和機の室内機のファンモータ前面カバー及びファンモータ側面カバーの構成を示す分解斜視図である。
ファンモータ前面カバー５は合成樹脂からなり、右側に位置する右側端板５６と、左側に位置する左側端板５７と、上記右側端板５６と左側端板５７との間に位置する湾曲部５８とを有している。ファンモータ前面カバー５は背面ケーシング１０に固定され、室内機１に取り込まれた空気が熱交換器８を介して外部に出て行く際の通風路（及びファン９）とファンモータ４とを仕切る構成となっている。これによって、湿気を含んだ空気がファンモータ４に触れるのを防ぐことができる。
【００２１】
また、ファンモータ前面カバー５のファン９側の側面には壁５４（図５参照）が形成され、ファンモータ４が、その回転軸方向に移動するのを制限する。さらに、ファンモータ前面カバー５は、ファンモータ４のファン９側の軸受部５５（図５参照）を有し、当該軸受部５５によってファンモータ４を支持する。
ファンモータ前面カバー５はネジ（図示せず）によって背面ケーシング１０に固定されている。本実施形態では、ファンモータ４を取り外す際にはファンモータ前面カバー５を取り外す必要はなく、ファンモータ側面カバーＫを取り外してファンモータ４を室内機１の側方から抜き取る構成となっている。
【００２２】
＜ファンモータ側面カバー＞
図３に示すように、ファンモータ側面カバーＫは手前カバー６と奥カバー７とに分割されており、ファンモータ４の軸受部に取り付けられた防振ゴム１３（図２参照）を把持する。以下、ファンモータ側面カバーＫという記載は、手前カバー６及び奥カバー７を表すものとする。
ファンモータ側面カバーＫはモータ本体４１の側面（図２では右側面）と所定の間隔を開けて設置されている。つまり、ファン９のボス９１（図２参照）にファンモータ４が挿入され固定された状態において、ファンモータ前面カバー５は室内機１内の通風路（図示せず）からファンモータ４を仕切り、さらにファンモータ側面カバーＫがファンモータ４に取り付けられた防振ゴム１３を把持する構成となっている。
【００２３】
ファンモータ側面カバーＫは背面ケーシング１０に固定されるとともに、ファンモータ前面カバー５と接触する箇所の少なくとも一部に、ファンモータ側面カバーＫの振動を防止するための防振構造を備えている。
具体的には、ファンモータ側面カバーＫを構成する手前カバー６及び奥カバー７は背面ケーシング１０とそれぞれ一箇所でネジ止めされている。また、手前カバー６にはファンモータ前面カバー５の内側に設けられた凸部５１（図５参照）に対応する位置にツメ６２（図３参照）が設けられている。
【００２４】
（１．手前カバー）
図３に示すように、ファンモータ側面カバーＫを構成する手前カバー６は合成樹脂からなり、中心部に略円形の孔を有する略円形の板の一部を切り欠いた形状となっている。手前カバー６の軸受部６１は奥カバー７の軸受部７１とともに孔Ｘ（図４参照）を形成する。したがって手前カバー６の軸受部６１は、防振部材１３の周面の形状に合わせた曲面を形成している。
図４は、本発明の第１実施形態に係る空気調和機の室内機から、前面ケーシング及び電装品箱を取り外した場合の斜視図である。
孔Ｘによってつくられる輪の半径は、防振ゴム１３の周面によってつくられる輪の半径より多少小さくするように設計することが好ましい。これによって、防振ゴム１３を把持する際に、手前カバー６の軸受部６１及び奥カバー７の軸受部７１が防振ゴム１３（ファンモータ４の右端）に食い込むため、防振ゴム１３が設置されたファンモータ４の防振性を高めることができる。
【００２５】
図５は、本発明の第１実施形態に係る空気調和機の室内機において、背面ケーシングにファンモータ側面カバーの奥カバー及びファンモータ前面カバーが取り付けられた場合の部分拡大図である。なお、図５ではファンモータ４を取外した状態となっている。
手前カバー６の曲面部６３（図３参照）の前面及び上面は、ファンモータ前面カバー５の湾曲部５８の内側の右端に形成された曲面５３に当接するように形成されている。これによってファンモータ４の振動音が、ファンモータ前面カバー５及びファンモータ側面カバーＫによってつくられる空間の外部に漏れるのを防止することができる。
また、手前カバー６を前面カバー５に組み付けた場合に、手前カバー６の曲面部６３の左側の面は、ファンモータ前面カバー５の壁５２に当接するように形成されている。したがって、ファンモータ前面カバー５とファンモータ側面カバーＫとにより、ファンモータ４をほぼ密封することができるため、ファンモータ４の振動音が外部に漏れることを抑制することができる。
【００２６】
図３に示すように、手前カバー６の曲面部６３は一部切り欠かれて凹部６４が形成されており、当該凹部６４にツメ６２が収まるように形成されている。ツメ６２は略Ｓ字状（又は略Ｊ字状）に形成され、凹部６４の底面と一体に形成されている。
図６は、本発明の第１実施形態に係る空気調和機の室内機からファンモータを取り外し、ファンモータ側面カバーを取り付けた状態において、手前カバーのツメの突起部及びファンモータの回転軸を含む平面によって切り取った場合の部分斜視図である。なお、図６において黒く塗りつぶした部分は、手前カバー６のツメ６２の突起部６２ａ及びファンモータ４の回転軸を含む平面によって切り取った場合の断面を表す。
ツメ６２の先端には突起部６２ａが設けられている。当該突起部６２ａは、手前カバー６を室内機１に組み付けた場合に、ファンモータ前面カバー５の湾曲部５８の内側の右端に形成された曲面５３に当接する。また、上記ツメ６２の突起部６２ａは、手前カバー６を室内機１に組み付けた場合に、ファンモータ前面カバー５の右端に形成されている壁５２と突起部５１との間（収容部５ａ；図７参照）に挟まれるように形成されている。
【００２７】
図７は、本発明の第１実施形態に係る空気調和機の手前カバーのツメをファンモータ前面カバーに設けられた収容部に嵌めこむ際の手順を示した図である。なお、図７は、手前カバー６のツメ６２の突起部６２ａ及びファンモータ４の回転軸を通る平面によって切り取った場合の断面が斜線で示されている。
図７（ａ）は手前カバー６をファンモータ前面カバー５に組み付ける前の状態を表している。図７（ａ）の状態から手前カバー６を左側に移動させ、図７（ｂ）の状態とする。
図７（ｂ）の状態において、手前カバー６のツメ６２の突起部６２ａの角（図７（ｂ）では左上方である）が前面カバー５に形成されたツメ５１の斜面に接している。さらに側面カバー６を左側に移動させると、ツメ６２が図７（ｂ）に示す下向き矢印の向きへと弾性的に変形して、突起部６２ａが凸部５１の斜面に接しながら下方に移動する。
【００２８】
さらに側面カバー６を左側に押すと、突起部６２ａが凸部５１を乗り越えて、図７（ｃ）の状態になる。図７（ｃ）において、ツメ６２の突起部６２ａは前面カバー５の凸部５１、壁５２、曲面５３によって形成される収容部５ａに嵌め込まれることとなる。この場合において、図７（ｂ）の下向き矢印で示したツメ６２の変形は元の状態にもどることとなる。図７（ｃ）の状態において、ツメ６２が前面カバー５の収容部５ａに嵌まり込んだ状態では、ツメ６２の突起部６２ａと前面カバー５の凸部５１とが係合する。したがって、ファンモータ４の振動によって、ツメ６２の突起部６２ａが前面カバー５の凸部５１から外れることはない。
【００２９】
なお、手前カバー６を取り外す場合には、ツメ６２を下方に押圧して突起部６２ａを備えた先端を下げて、前面カバー５の凸部５１を潜り抜けるようにして、ツメ６２を右側に引き出せばよい。
【００３０】
図８は、本発明の第１実施形態に係る空気調和機の室内機におけるファンモータ前面カバー及びファンモータ側面カバーの右側面図である。
手前カバー６にツメ６２が設置されない場合には、固定部Ａからファンモータ４の回転軸に下ろした垂線と、固定部Ｂからファンモータ４の回転軸に下ろした垂線とによって作られる鈍角（１８０°−θ）側で、ファンモータ側面カバーＫの左右方向（回転軸方向；図６の矢印参照）の振動幅が最大になる。手前カバー６を室内機１に組み付けた場合に、手前カバー６のツメ６２の突起部６２ａがファンモータ前面カバー５の収容部５ａに挟まるように構成することによって、ファンモータ側面カバーＫの左右方向の振動を抑制することができる。
【００３１】
また、手前カバー６を室内機１に組み付けた場合に、ツメ６２の突起部６２ａがファンモータ前面カバー５の曲面５３に当接し、押圧する。したがって、手前カバー６において前後又は上下方向の振動が発生した場合でも、ツメ６２の突起部６２ａとファンモータ前面カバー５の曲面５３とによって上記振動が吸収される。なお、突起部６２ａの高さ（手前カバー６を取り外した際に手前カバー６の曲面部６３からツメ６２の先端が出る程度；図３参照）を調整することによって、ファンモータ前面カバー５との固定の強度を調整することができる。
なお、ツメ６２を設ける位置は、例えば室内機１を側面（右側）から見た場合に、手前カバー６がファンモータ前面カバー５と接する箇所によって作られる曲線分ａｂ（図８参照）の中点付近とすることができる。その他、固定部Ａからファンモータ４の回転軸に下ろした垂線と、固定部Ｂからファンモータ４の回転軸に下ろした垂線とが作る鋭角θ（図８参照）を二等分する直線と、上記曲線分ａｂとの交点付近としてもよい。また、固定部Ａと固定部Ｂとを結ぶ線分ＡＢの垂直二等分線と、上記曲線分ａｂとの交点付近としてもよい。
【００３２】
以上より、ファンモータ前面カバー５の収容部５ａと、手前カバー６のツメ６２の突起部６２ａとによってつくられる防振構造を、ファンモータ手前カバー６とファンモータ前面カバー５とが接触する箇所の少なくとも一部に備えることによって、ファンモータ側面カバーＫの振動を防止することができる。
手前カバー６は、ファンモータ４の軸を中心とした放射方向（固定部Ａ付近では上下方向）に、強度向上のための補強部６５（図３参照）を備えている。
【００３３】
（２．奥カバー）
ファンモータ側面カバーＫを構成する奥カバー７は合成樹脂からなり、中心部に略円形の孔を有する略円形の板の一部（約３／４）を切り欠いた形状となっている。奥カバー７の軸受部７１は手前カバー６の軸受部６１とともに孔Ｘ（図４参照）を形成する。すなわち、軸受部７１は、扁平な円柱状に形成された防振ゴム１３の周面の形状に合わせた曲面を形成している。
また、奥カバー７の軸受部７１には、ファンモータ４の軸方向と平行に、断面三角形状の突起部７２（図３参照）が一条設けられている。手前カバー６及び奥カバー７によってファンモータ４を把持した場合、断面三角形状の一条の突起部７２がファンモータ４に取り付けられた防振ゴム１３に食い込むようになっている。
【００３４】
突起部７２は、ファンモータ４の回転軸方向に向かう高さを調整することによって、ファンモータ４に設置された防振ゴム１３を固定する強度を調整することができる。すなわち、突起部７２の高さを高くした場合には、その分、突起部７２が防振ゴム１３に深く食い込むことになり、固定の強度が強くなる。一方、突起部７２の高さを低くした場合には、その分、突起部７２が防振ゴム１３に浅く食い込むことになり、固定の強度が弱くなる。
また、ファンモータ４の軸受部（防振ゴム１３）のサイズが変更された場合には、手前カバー６や奥カバー７全体の大きさを設計変更せずに、奥カバー７の軸受部７１に設置される突起部７２の高さを調整すればよい。ファンモータ４の各々のサイズに合わせて奥カバー７の突起部７２の高さを変更することで、各モータに対応することが可能になり、製造コストを削減することができる。
なお、上記の例では断面三角形状の突起部７２を一条としたが、突起部７２を複数条設けてもよい。また、軸受部７１上に突起部を散点的に設ける構成としてもよい。
【００３５】
図３では、奥カバー７が手前カバー６と接する面のうち手前側の垂直方向の面に、手前カバー６の凸部（図示せず）に嵌合するような凹部７５を設けている。これによって、奥カバー７に手前カバー６を取り付ける際に、その組み付けが容易になるとともに、手前カバー６と奥カバー７が、より強固に固定されることになる。
上記の例では手前カバー６の凸部（図示せず）に嵌合するような凹部７５を、手前カバー６と奥カバー７が接する部分（面）の一方の側に設けた。手前カバー６と奥カバー７が接する部分（面）は二箇所あるが（図８参照）、当該二つの箇所のいずれか一方又は双方に、手前カバー６の凸部に当接する凹部を奥カバー７に設けるか、あるいは手前カバー６の凹部に嵌合する凸部を奥カバー７に設けてもよい。
【００３６】
奥カバー７の下部には、ファンモータ４のリード線（図示せず）を引き回すためのリード線引き回し溝７４が形成されている。また、奥カバー７は、ファンモータ４の軸を中心とした放射方向に、強度向上のための補強部７３を備えている。
【００３７】
＜各固定部について＞
図３に示すように、手前カバー６は固定部Ａ、Ｃ、及びＦを備え、それぞれ背面ケーシング１０、奥カバー７、及びファンモータ前面カバー５にネジ止めされる。手前カバー６の背面ケーシング１０との固定部Ａ、ファンモータ前面カバー５との固定部Ｆ、及び奥カバー７との固定部Ｃは、いずれも室内機１の前方側から後方側に向かってネジ（図示せず）を挿入することにより固定できるように配置されている。
上記のように配置するために固定部Ａは、手前カバー６を室内機１に組み付けた場合に、手前カバー６の複数の補強部６５によって補強される面より右側に延出される構成となっている。また、手前カバー６の前方側の端面６６は、固定部Ｃからネジａを取り外す際に、ネジを室内機１の後方から前方に向かってまっすぐに引き抜けるように、水平な面と平行に形成されている。
【００３８】
奥カバー７は、固定部Ｂ及びＤを備え（図３参照）、それぞれ背面ケーシング１０、手前カバー６にネジａによりネジ止めされる。手前カバーの固定部（Ａ、Ｃ、Ｆ）と同様に、奥カバー７の背面ケーシング１０との固定部Ｂ及び手前カバー６との固定部Ｄは、いずれも室内機１の前方から後方に向かってネジ（図示せず）を挿入することにより固定できるように配置されている。
上記のように配置するために固定部Ｂは、奥カバー７を室内機１に組み付けた場合に、奥カバー７の複数の補強部７３によって補強される面より右側に延出される構成となっている。
【００３９】
仮に、ファンモータ側面カバーＫが室内機１の側方からネジによって固定されていた場合には、ファンモータ４を室内機１から取り外す際に、室内機１の側方から工具を差し込むことになる。ここで、ファンモータ側面カバーＫが壁際になるように室内機１が設置されていた場合には、室内機１と壁との間は狭く、室内機１の側方から工具を差し込んでネジをはずす作業が困難なものとなる。
室内機１の正面から背面に向かってネジを挿入するようにファンモータ前面カバー５の固定部Ｅ、手前カバー６の固定部Ａ・Ｃ・Ｆ、奥カバー７の固定部Ｂ・Ｄを配置することによって、室内機１の側方から工具を差し込む必要がなくなる。また、ネジａの位置の確認も正面なので容易である。したがって、室内機１の据付け位置に関わらず、ファンモータ４の取り外し作業を簡単に素早く行うことができるようになる。
【００４０】
なお、奥カバー７と背面ケーシング１０との固定箇所は一箇所（Ｂ）であることが好ましい。奥カバー７とケーシング９とが一箇所（Ｂ）で固定される場合には、手前カバー６を取り外した後の奥カバー７の取り外し作業において、一方の手で奥カバー７を支えながら他方の手でネジ（図示せず）を外すという作業を繰り返す必要がない。したがって、より安全に素早く奥カバー７を取り外すことができる。
【００４１】
上記のように本実施形態では、手前カバー６及び奥カバー７をそれぞれ背面ケーシング１０に固定する構成となっている。したがって、例えば奥カバー７が手前カバー６のみに固定されている場合等に比べて、奥カバー７をより強固に固定することができる。
また、手前カバー６をファンモータ前面カバー５に対しても固定するので（固定部Ｅ、Ｆ）、特に手前カバー６に生じる左右方向の回転モーメントを低減させることができる。ちなみに、手前カバー６に生じる左右方向の回転モーメント（図６の矢印参照）は、ツメ６２等によって形成される防振構造によって、さらに低減されている。
【００４２】
また、固定部Ａからファンモータ４の回転軸に下ろした垂線と、固定部Ｂからファンモータ４の回転軸に下ろした垂線とが作る角θ（図８参照）が、所定角度（例えばθ＝４５°）以上であるように固定部Ａ、Ｂを配置することが好ましい。角θが小さい場合（例えばθ＝２０°）には、ファンモータ側面カバーＫに対して、ファンモータ４の軸と平行な方向（左右方向）に働く回転モーメントが大きくなる。当該回転モーメントが大きくなると、手前カバー６や奥カバー７が変形し、ファンモータ４の固定が緩み、振動や騒音などが発生する可能性がある。
また、角θが小さい場合には、ファンモータ側面カバーＫに対して、ファンモータ４の回転軸周りに生じる回転モーメントも大きくなる。この場合、室内機１を正面から見た場合にファンモータ側面カバーＫが上下又は前後に振動しやすくなる。
【００４３】
上記角度θが所定角度以上となるように固定部Ａと固定部Ｂとを配置することによって、ファンモータ４の軸と平行な方向に働く回転モーメント及びファンモータ４の軸周りに生じる回転モーメントを低減させることができる。したがって、手前カバー６や奥カバー７の変形を抑制するとともにファンモータ側面カバーＫの振動も抑制することができる。したがって、ファンモータ４の振動によって生じる振動音を抑制することができる。
なお、固定部Ａ及び固定部Ｂはそれぞれ背面ケーシング１０に固定することになるため、上記固定が可能な範囲において、適宜その位置を設定する。
【００４４】
≪その他の実施形態≫
上記において第１実施形態について説明したが、本発明は上記実施形態に限定されるものではなく、その趣旨を逸脱しない範囲において、適宜設計変更することができる。
例えば、手前カバー６とファンモータ前面カバー５との固定部（Ｅ，Ｆ）、手前カバー６と奥カバー７との固定部（Ｃ，Ｄ）については省略してもよい。
すなわち、手前カバー６及び奥カバー７が、それぞれ少なくとも一箇所ずつ空気調和機Ａの背面ケーシング１０に固定され（固定部Ａ、固定部Ｂ）、手前カバー６とファンモータ前面カバー５とが接触する箇所の少なくとも一部に、ファンモータ側面カバーＫの振動を防止するための防振構造（前面カバー５の収容部５ａ及び手前カバー６のツメ６２に形成された突起部６２ａ）を備える構成としてもよい。
【００４５】
上記構成でも、手前カバー６及び奥カバー７はそれぞれ背面ケーシング１０にしっかりと固定されているため、他部品からの振動に連動してしまうという事態を回避することができる。また、手前カバー６及び奥カバー７の固定部がそれぞれ一箇所（Ａ、Ｂ）なので、手前カバー６及び奥カバー７の取り外しをより素早く簡単に行うことができる。
さらに手前カバー６とファンモータ前面カバー５とが接触する箇所の少なくとも一部に防振構造（前面カバー５の収容部５ａ及び手前カバー６のツメ６２に形成された突起部６２ａ）を備えているため、固定部Ａ、Ｂから離れた場所（図８の曲線分ａｂ付近）においてファンモータ４の回転軸方向及び回転軸周りに生じる回転モーメントを低減させることができる。
よって、ファンモータ側面カバーＫの振動を抑制し、ファンモータ４の振動に起因する振動音を低減させることができる。
【００４６】
また、手前カバー６及び奥カバー７が、それぞれ少なくとも一箇所ずつ空気調和機Ａの背面ケーシング１０に固定され（固定部Ａ、固定部Ｂ）、さらに、前記手前カバー６がファンモータ前面カバー５と奥カバー７のいずれか一方又は双方に固定される構成としてもよい。
この場合には、ファンモータ手前カバー６がより強固に固定されるため、ファンモータ側面カバーＫの振動を抑制し、ファンモータの振動に起因する振動音を低減させることができる。
【００４７】
また、手前カバー６はファンモータ４の回転軸を通る水平面Ｈ（図８参照）より上側において背面ケーシング１０に固定され（固定部Ａ）、奥カバー７は水平面Ｈより下側において背面ケーシング１０に固定される（固定部Ｂ）構成としてもよい。
ファンモータ４の回転軸を通る水平面Ｈの上下に手前カバー６の固定部Ａと奥カバー７の固定部Ｂとをそれぞれ設けた場合には、水平面Ｈの上下一方に固定箇所を設けた場合と比べて固定部Ａ、Ｂに生じる応力が小さくなる。また、ファンモータ４の回転軸を通る水平面Ｈの上下に手前カバー６の固定部Ａと奥カバー７の固定部Ｂとをそれぞれ設けた場合には、ファンモータ４の回転軸方向（左右方向）に生じる回転モーメントを小さくすることができる。
【００４８】
結果的に、より強固にファンモータ側面カバーＫ（手前カバー６及び奥カバー７）を固定してその振動を抑制し、ファンモータ４の振動に起因する振動音を低減させることができる。また、上記のような構成によってファンモータ側面カバーＫの変形を抑制することができるので、ファンモータ側面カバーＫを長持ちさせることができる。
【００４９】
また、手前カバー６と背面ケーシング１０との固定箇所、奥カバー７と背面ケーシング１０の固定箇所はそれぞれ一箇所であることが好ましいが、複数箇所で固定してもよい。上記固定箇所を複数にした場合、より強固にファンモータ側面カバーＫを背面ケーシング１０に固定することができる。したがって、ファンモータ側面カバーＫの振動を抑制し、ファンモータ４の振動に起因する振動音を低減させることができる。
【符号の説明】
【００５０】
Ａ  空気調和機
１  室内機
２  室外機
３  リモコン
４  ファンモータ
４１  モータ本体
４２  駆動軸
５  ファンモータ前面カバー
５ａ  収容部（防振構造）
５１  凸部（防振構造）
５２  壁（防振構造）
５３  曲面（防振構造）
５４  壁
５５  軸受部
５６  右側端板
５７  左側端板
５８  湾曲部
５９ａ  収容部（防振構造）
Ｋ  ファンモータ側面カバー
６  手前カバー
６１  軸受部
６２  ツメ（防振構造）
６２ａ  突起部（防振構造）
６３  曲面部
６４  凹部
６５  補強部
６６  端面
７  奥カバー
７１  軸受部
７２  突起部
７３  補強部
７４  リード線引き回し溝
７５  凹部
８  熱交換器
９  ファン
９１  ボス
１０  背面ケーシング
１１  据付板
１２  電装品箱
１３  防振ゴム（防振部材）
１４  フィルタ
Ａ，Ｂ，Ｃ，Ｄ，Ｅ，Ｆ  固定部
Ｘ  孔
Ｈ  水平面
θ  角
【図１】
2012112543.tif 000003
【図２】
2012112543.tif 000004
【図３】
2012112543.tif 000005
【図４】
2012112543.tif 000006
【図５】
2012112543.tif 000007
【図６】
2012112543.tif 000008
【図７】
2012112543.tif 000009
【図８】
2012112543.tif 000010